(57)【特許請求の範囲】
【請求項１】
ＶＯＩＰ網に接続されてＶＯＩＰ通話を行う複数の利用者端末装置と、前記ＶＯＩＰ網に接続されて前記各利用者端末装置間でのＶＯＩＰ通話を実現する呼制御サーバとからなるＶＯＩＰ電話サービスシステムにおいて、
前記利用者端末装置は、
前記ＶＯＩＰ通話を行うＶＯＩＰ電話端末と前記ＶＯＩＰ網との接続制御、および任意のアドレス情報で指定されたＩＰ網上のＷｅｂページを閲覧表示するデジタルテレビ端末と前記ＩＰ網との接続制御を行うホームゲートウェイを備え、
前記呼制御サーバは、
ＶＯＩＰ通話を行う利用者端末装置に対してＶＯＩＰ通話を実現するための呼制御を行う呼制御部と、ＶＯＩＰ通話を行う利用者端末装置間で前記デジタルテレビ端末により閲覧表示すべきＷｅｂページを示すアドレス情報を転送するアドレス情報転送部とを備え、
前記ホームゲートウェイは、前記アドレス情報を送信する際、通話相手側の利用者端末装置にあるデジタルテレビ端末のＷｅｂページの閲覧表示に関する通信能力を示す通信能力情報に基づき前記アドレス情報の送信可否を判断し、
前記通信能力情報は、任意のアドレス情報で指定されたＷｅｂページの閲覧表示可否を示す情報、または当該ＶＯＩＰ通話の通話相手からのアドレス情報受信可否を示す情報のいずれかを含む
ことを特徴とするＶＯＩＰ電話サービスシステム。
【請求項２】
請求項１に記載のＶＯＩＰ電話サービスシステムにおいて、
前記ホームゲートウェイは、利用者からのアドレス情報送信操作に応じて前記アドレス情報を前記ＶＯＩＰ網を介して前記呼制御サーバへ送信するとともに、前記ＶＯＩＰ網を介して前記呼制御サーバから受信した前記アドレス情報を前記デジタルテレビ端末へ通知し、
前記デジタルテレビ端末は、前記ホームゲートウェイから通知されたアドレス情報で指定されたＷｅｂページを閲覧表示し、
前記アドレス情報転送部は、前記ＶＯＩＰ網を介して前記ホームゲートウェイからのアドレス情報を受信し、当該利用者端末装置とＶＯＩＰ通話している相手利用者端末装置のホームゲートウェイへ前記ＶＯＩＰ網を介して前記アドレス情報を転送する
ことを特徴とするＶＯＩＰ電話サービスシステム。
【請求項３】
請求項１に記載のＶＯＩＰ電話サービスシステムにおいて、
前記ホームゲートウェイは、利用者からのアドレス情報送信操作に応じて、自利用者端末装置のデジタルテレビ端末で閲覧表示中のＷｅｂページのアドレス情報を前記ＶＯＩＰ網を介して前記呼制御サーバへ送信する
ことを特徴とするＶＯＩＰ電話サービスシステム。
【請求項４】
請求項１に記載のＶＯＩＰ電話サービスシステムにおいて、
前記呼制御サーバは、前記利用者端末装置の前記通信能力情報を管理する情報管理部を備え、
前記ホームゲートウェイは、ＶＯＩＰ通話を開始した後、当該利用者端末装置にあるデジタルテレビ端末の通信能力を示す通信能力情報を前記ＶＯＩＰ網を介して前記呼制御サーバへ送信するとともに、前記アドレス情報の送信可否を判断する際、前記呼制御サーバから前記ＶＯＩＰ網を介して通話相手となる利用者端末装置の通信能力情報を取得する
ことを特徴とするＶＯＩＰ電話サービスシステム。
【請求項５】
ＶＯＩＰ通話を行うＶＯＩＰ電話端末とＶＯＩＰ網との接続制御および任意のアドレス情報で指定されたＩＰ網上のＷｅｂページを閲覧表示するデジタルテレビ端末とＩＰ網との接続制御を行う複数の利用者端末装置に、前記ＶＯＩＰ網を介して接続される呼制御サーバにおいて、
ＶＯＩＰ通話を行う利用者端末装置に対してＶＯＩＰ通話を実現するための呼制御を行う呼制御部と、
ＶＯＩＰ通話を行う利用者端末装置間で前記デジタルテレビ端末により閲覧表示すべきＷｅｂページを示すアドレス情報を転送するアドレス情報転送部と、
前記利用者端末装置にあるデジタルテレビ端末のＷｅｂページの閲覧表示に関する通信能力情報を管理する情報管理部を備え、
前記呼制御部は、前記利用者端末装置から送信された当該利用者端末装置の通信能力情報を受信して前記情報管理部へ渡すとともに、前記利用者端末装置からの要求に応じて、当該利用者端末装置とＶＯＩＰ通話している相手利用者端末装置の通信能力情報を通知し、
前記通信能力情報は、任意のアドレス情報で指定されたＷｅｂページの閲覧表示可否を示す情報、または当該ＶＯＩＰ通話の通話相手からのアドレス情報受信可否を示す情報のいずれかを含む
ことを特徴とする呼制御サーバ。
【請求項６】
請求項５に記載の呼制御サーバにおいて、
前記アドレス情報転送部は、前記ＶＯＩＰ網を介して前記利用者端末装置からアドレス情報を受信し、このアドレス情報を相手利用者端末装置のデジタルテレビ端末で閲覧表示すべきアドレス情報として、当該利用者端末装置とＶＯＩＰ通話している相手利用者端末装置へ前記ＶＯＩＰ網を介して転送することを特徴とする呼制御サーバ。
【請求項７】
ＶＯＩＰ通話のための呼制御を行う呼制御サーバにＶＯＩＰ網を介して接続される利用者端末装置において、
前記ＶＯＩＰ通話を行うＶＯＩＰ電話端末と前記ＶＯＩＰ網との接続制御、および任意のアドレス情報で指定されたＩＰ網上のＷｅｂページを閲覧表示するデジタルテレビ端末と前記ＩＰ網との接続制御を行うホームゲートウェイを備え、
前記ホームゲートウェイは、ＶＯＩＰ通話している相手利用者端末装置から送信されたアドレス情報を前記呼制御サーバを介して受信し、閲覧表示すべきＷｅｂページを示すアドレス情報として前記デジタルテレビ端末へ通知するとともに、前記アドレス情報を送信する際、通話相手側の利用者端末装置にあるデジタルテレビ端末のＷｅｂページの閲覧表示に関する通信能力を示す通信能力情報に基づき前記アドレス情報の送信可否を判断し、
前記通信能力情報は、任意のアドレス情報で指定されたＷｅｂページの閲覧表示可否を示す情報、または当該ＶＯＩＰ通話の通話相手からのアドレス情報受信可否を示す情報のいずれかを含む
ことを特徴とする利用者端末装置。
【請求項８】
請求項７に記載の利用者端末装置において、
前記ホームゲートウェイは、利用者からのアドレス情報送信操作に応じて前記アドレス情報を前記ＶＯＩＰ網を介して前記呼制御サーバへ送信することを特徴とする利用者端末装置。
【請求項９】
請求項８に記載の利用者端末装置において、
前記ホームゲートウェイは、前記アドレス情報を送信する際、自利用者端末装置のデジタルテレビ端末で閲覧表示中のＷｅｂページのアドレス情報を送信することを特徴とする利用者端末装置。
【請求項１０】
請求項７に記載の利用者端末装置において、
前記ホームゲートウェイは、ＶＯＩＰ通話を開始した後、当該利用者端末装置にあるデジタルテレビ端末の通信能力を示す通信能力情報を前記ＶＯＩＰ網を介して前記呼制御サーバへ送信するとともに、前記アドレス情報の送信可否を判断する際、前記呼制御サーバから前記ＶＯＩＰ網を介して通話相手となる利用者端末装置の通信能力情報を取得することを特徴とする利用者端末装置。
【発明の詳細な説明】
【技術分野】
【０００１】
本発明は、ＶＯＩＰ（Voice Over IP）電話サービスシステム、呼制御サーバ、および利用者端末装置に関し、特にＶＯＩＰ網を介して利用者端末装置間のＶＯＩＰ通話を実現するとともに、ＶＯＩＰ通話中の利用者端末装置間における共通Ｗｅｂページの閲覧表示を実現するＶＯＩＰ電話サービスシステム、呼制御サーバ、および利用者端末装置に関するものである。
【背景技術】
【０００２】
ＶＯＩＰ電話サービスシステムは、一般に、ＶＯＩＰ網に接続された複数の利用者端末装置と呼制御サーバとから構成される。利用者端末装置は、音声信号をパケット化しＶＯＩＰ網を介して利用者端末装置間でやり取りすることにより通話すなわちＶＯＩＰ通話を行うＶＯＩＰ電話端末または機能を備えている。また呼制御サーバは、任意の利用者端末装置からの要求に応じて、当該利用者端末装置とその通話相手となる利用者端末装置とに対する呼制御を行う機能を備えている。
【０００３】
このようなＶＯＩＰ電話サービスシステムでは、利用者端末装置間におけるＶＯＩＰ通話のためのセッションをＶＯＩＰ網で確立し管理する必要があり、その呼制御のためのプロトコルすなわちＩＰシグナリングプロトコルとして、ＳＩＰ（Session Initiation Protocol）、ＩＴＵ−Ｔ（International Telecommunication Union-Telecommunication Standardization Sector）のＨ．３２３標準などが用いられている。
以下、ＩＰシグナリングプロトコルの具体例として、ＳＩＰの呼制御シーケンスについて説明する。図５はＳＩＰの呼制御シーケンスを示すシーケンス図である。なお、図５では、利用者端末装置９Ａから利用者端末装置９Ｂに対して発呼する場合の呼制御シーケンスが示されており、これら利用者端末装置９Ａおよび利用者端末装置９Ｂと呼制御サーバ９Ｓとの間で、ＶＯＩＰ網を介して各種メッセージがやり取りされる。
【０００４】
まず、発信側となる利用者端末装置９Ａは、利用者による発信操作に応じて、セッション確立要求を呼制御サーバ９Ｓへ通知する（ステップ２００）。呼制御サーバ９Ｓは、セッション確立要求で指定された相手先となる着信側の利用者端末装置９Ｂに対してセッション確立要求を送信する（ステップ２０１）。これに応じて利用者端末装置９Ｂは、利用者に対して着信を報知するための呼び出しを行うとともに、呼制御サーバ９Ｓに対して呼出中を通知し（ステップ２０２）、これが呼制御サーバ９Ｓを介して利用者端末装置９Ａへ通知される（ステップ２０３）。
【０００５】
その後、利用者端末装置９Ｂの利用者がその着信への応答操作を行った場合（ステップ２０４）、利用者端末装置９Ｂから呼制御サーバ９Ｓに対して応答が通知され（ステップ２０５）、これが呼制御サーバ９Ｓを介して利用者端末装置９Ａへ通知される（ステップ２０６）。
利用者端末装置９Ａでは、この応答に応じて承認を返送し（ステップ２０７）、これが呼制御サーバ９Ｓを介して利用者端末装置９Ｂへ通知される（ステップ２０８）。
このようにして、両利用者端末装置９Ａ，９Ｂ間で確認が行われた後、ＶＯＩＰ網でＶＯＩＰ通話のためのセッションが確立され、通話が開始される（ステップ２０９）。この際、音声パケットのやり取りについてはＲＴＰ（Real-time Transport Protocol）などが用いられる。
【０００６】
この後、利用者端末装置９Ａの利用者が終話操作を行った場合（ステップ２１０）、利用者端末装置９Ａから呼制御サーバ９Ｓに対してセッション終了が通知され（ステップ２１１）、これが呼制御サーバ９Ｓを介して利用者端末装置９Ｂへ通知される（ステップ２１２）。
利用者端末装置９Ｂでは、このセッション終了に応じてその確認を返送し（ステップ２１３）、これが呼制御サーバ９Ｓを介して利用者端末装置９Ａへ通知される（ステップ２１４）。これにより、利用者端末装置９Ａ，９Ｂ間のＶＯＩＰ通話が終了する。
【０００７】
なお、出願人は、本明細書に記載した先行技術文献情報で特定される先行技術文献以外には、本発明に関連する先行技術文献を出願時までに発見するには至らなかった。
【非特許文献１】堀内かほり、「遙かなりＩＰ電話時代」、日経バイト、2003年７月号、日経ＢＰ社、2003年6月22日発行日、pp72-77
【発明の開示】
【発明が解決しようとする課題】
【０００８】
このようなＶＯＩＰ電話サービスシステムにおいて、通話の際、共通のテキストデータや画像データからなるマルチメディア情報、すなわち任意のＷｅｂページを見ながら通話を行うという要求がある。例えば、孫の話題を祖父母に知らせる場合、行事や旅行の際に撮影した孫の写真を互いに見ながら会話したいという要求、会合の開催を電話で知らせる場合、その開催場所やスケジュールを互いに画面を見ながら確認したい、あるいは顧客からの商品問い合わせに応じて、その商品の詳細を示す共通の画面を見ながら説明したいなどの要求がある。
【０００９】
従来のＶＯＩＰ電話サービスシステムでは、ＶＯＩＰ通話中に共通のＷｅｂページを閲覧表示する際、ＶＯＩＰ通話とは別個にＰＣ端末を起動して、通話によりそのＷｅｂページのアドレス情報を伝え、通話相手にそのアドレス情報をキーボード入力してもらって共通のＷｅｂページを閲覧する方法が考えられる。しかしながら、このような従来技術では、通話相手に所望のアドレス情報を入力してもらう必要があり、特にアドレス情報としてＵＲＬ（Uniform Resource Locators）を用いる場合には、比較的長い英数字を間違いなく入力する必要がある。したがって、通話相手に対して操作負担となることから、容易かつスムーズに共通のＷｅｂページを閲覧して通話できないという問題点があった。
本発明はこのような課題を解決するためのものであり、ＶＯＩＰ通話中に、容易かつスムーズに共通のＷｅｂページを閲覧して通話できるＶＯＩＰ電話サービスシステム、呼制御サーバ、および利用者端末装置を提供することを目的としている。
【課題を解決するための手段】
【００１０】
このような目的を達成するために、本発明にかかるＶＯＩＰ電話サービスシステムは、ＶＯＩＰ網に接続されてＶＯＩＰ通話を行う複数の利用者端末装置と、ＶＯＩＰ網に接続されて各利用者端末装置間でのＶＯＩＰ通話を実現する呼制御サーバとからなるＶＯＩＰ電話サービスシステムにおいて、利用者端末装置に、ＶＯＩＰ通話を行うＶＯＩＰ電話端末とＶＯＩＰ網との接続制御、および任意のアドレス情報で指定されたＩＰ網上のＷｅｂページを閲覧表示するデジタルテレビ端末とＩＰ網との接続制御を行うホームゲートウェイとを備え、呼制御サーバに、ＶＯＩＰ通話を行う利用者端末装置に対してＶＯＩＰ通話を実現するための呼制御を行う呼制御部と、ＶＯＩＰ通話を行う利用者端末装置間でデジタルテレビ端末により閲覧表示すべきＷｅｂページを示すアドレス情報を転送するアドレス情報転送部とを備え、アドレス情報を送信する際、ホームゲートウェイで、通話相手側の利用者端末装置にあるデジタルテレビ端末のＷｅｂページの閲覧表示に関する通信能力を示す通信能力情報に基づきアドレス情報の送信可否を判断し、通信能力情報として、任意のアドレス情報で指定されたＷｅｂページの閲覧表示可否を示す情報、または当該ＶＯＩＰ通話の通話相手からのアドレス情報受信可否を示す情報のいずれかを含む。
【００１１】
この際、ホームゲートウェイでは、利用者からのアドレス情報送信操作に応じてアドレス情報をＶＯＩＰ網を介して呼制御サーバへ送信するとともに、ＶＯＩＰ網を介して呼制御サーバから受信したアドレス情報をデジタルテレビ端末へ通知し、デジタルテレビ端末では、ホームゲートウェイから通知されたアドレス情報で指定されたＷｅｂページを閲覧表示し、アドレス情報転送部では、ＶＯＩＰ網を介してホームゲートウェイからのアドレス情報を受信し、当該利用者端末装置とＶＯＩＰ通話している相手利用者端末装置のホームゲートウェイへＶＯＩＰ網を介してアドレス情報を転送するようにしてもよい。
【００１２】
送信するアドレス情報としては、ホームゲートウェイで、利用者からのアドレス情報送信操作に応じて、自利用者端末装置のデジタルテレビ端末で閲覧表示中のＷｅｂページのアドレス情報をＶＯＩＰ網を介して呼制御サーバへ送信するようにしてもよい。
【００１３】
この際、呼制御サーバに、利用者端末装置の通信能力情報を管理する情報管理部を備え、ホームゲートウェイで、ＶＯＩＰ通話を開始した後、当該利用者端末装置にあるデジタルテレビ端末の通信能力を示す通信能力情報をＶＯＩＰ網を介して呼制御サーバへ送信するとともに、アドレス情報の送信可否を判断する際、呼制御サーバからＶＯＩＰ網を介して通話相手となる利用者端末装置の通信能力情報を取得するようにしてもよい。
【００１４】
また、本発明にかかる呼制御サーバは、ＶＯＩＰ通話を行うＶＯＩＰ電話端末とＶＯＩＰ網との接続制御および任意のアドレス情報で指定されたＩＰ網上のＷｅｂページを閲覧表示するデジタルテレビ端末とＩＰ網との接続制御を行う複数の利用者端末装置に、ＶＯＩＰ網を介して接続される呼制御サーバにおいて、ＶＯＩＰ通話を行う利用者端末装置に対してＶＯＩＰ通話を実現するための呼制御を行う呼制御部と、ＶＯＩＰ通話を行う利用者端末装置間でデジタルテレビ端末により閲覧表示すべきＷｅｂページを示すアドレス情報を転送するアドレス情報転送部と、利用者端末装置にあるデジタルテレビ端末のＷｅｂページの閲覧表示に関する通信能力情報を管理する情報管理部を備え、呼制御部で、利用者端末装置から送信された当該利用者端末装置の通信能力情報を受信して情報管理部へ渡すとともに、利用者端末装置からの要求に応じて、当該利用者端末装置とＶＯＩＰ通話している相手利用者端末装置の通信能力情報を通知し、通信能力情報として、任意のアドレス情報で指定されたＷｅｂページの閲覧表示可否を示す情報、または当該ＶＯＩＰ通話の通話相手からのアドレス情報受信可否を示す情報のいずれかを含む。
【００１５】
この際、アドレス情報転送部で、ＶＯＩＰ網を介して利用者端末装置からアドレス情報を受信し、このアドレス情報を相手利用者端末装置のデジタルテレビ端末で閲覧表示すべきアドレス情報として、当該利用者端末装置とＶＯＩＰ通話している相手利用者端末装置へＶＯＩＰ網を介して転送するようにしてもよい。
【００１７】
また、本発明にかかる利用者端末装置は、ＶＯＩＰ通話のための呼制御を行う呼制御サーバにＶＯＩＰ網を介して接続される利用者端末装置において、ＶＯＩＰ通話を行うＶＯＩＰ電話端末とＶＯＩＰ網との接続制御、および任意のアドレス情報で指定されたＩＰ網上のＷｅｂページを閲覧表示するデジタルテレビ端末とＩＰ網との接続制御を行うホームゲートウェイを備え、ホームゲートウェイで、ＶＯＩＰ通話している相手利用者端末装置から送信されたアドレス情報を呼制御サーバを介して受信し、閲覧表示すべきＷｅｂページを示すアドレス情報としてデジタルテレビ端末へ通知するとともに、アドレス情報を送信する際、通話相手側の利用者端末装置にあるデジタルテレビ端末のＷｅｂページの閲覧表示に関する通信能力を示す通信能力情報に基づきアドレス情報の送信可否を判断し、通信能力情報として、任意のアドレス情報で指定されたＷｅｂページの閲覧表示可否を示す情報、または当該ＶＯＩＰ通話の通話相手からのアドレス情報受信可否を示す情報のいずれかを含む。
【００１８】
この際、ホームゲートウェイで、利用者からのアドレス情報送信操作に応じてアドレス情報をＶＯＩＰ網を介して呼制御サーバへ送信するようにしてもよく、さらにアドレス情報を送信する際、自利用者端末装置のデジタルテレビ端末で閲覧表示中のＷｅｂページのアドレス情報を送信するようにしてもよい。
【００１９】
この通信能力については、ＶＯＩＰ通話を開始した後、当該利用者端末装置にあるデジタルテレビ端末の通信能力を示す通信能力情報をＶＯＩＰ網を介して呼制御サーバへ送信するとともに、アドレス情報の送信可否を判断する際、呼制御サーバからＶＯＩＰ網を介して通話相手となる利用者端末装置の通信能力情報を取得するようにしてもよい。
【発明の効果】
【００２１】
本発明によれば、パソコンを起動し通話により伝えられたＷｅｂページのアドレス情報をキーボード入力するというような、利用者によっては難しいアドレス情報の入力などの操作負担を強いることなく、ＶＯＩＰ通話中に、容易かつスムーズに共通のＷｅｂページを閲覧して通話できる。
【発明を実施するための最良の形態】
【００２２】
次に、本発明の実施の形態について図面を参照して説明する。
まず、図１を参照して、本発明の一実施の形態にかかるＶＯＩＰ電話サービスシステムについて説明する。図１は本発明の一実施の形態にかかるＶＯＩＰ電話サービスシステムの構成を示すブロック図である。
このＶＯＩＰ電話サービスシステムは、ＶＯＩＰ網４と、ＩＰ網７と、このＶＯＩＰ網４およびＩＰ網７に接続される複数の利用者端末装置１０Ａ，１０Ｂと、ＶＯＩＰ網４に接続される呼制御サーバ５とから構成されている。
【００２３】
まず、利用者端末装置１０Ａ，１０Ｂの構成について説明する。
利用者端末装置１０Ａ（１０Ｂ）には、各利用者ごとに設けられ、ＶＯＩＰ網４を介したＶＯＩＰ通話を行うためのＶＯＩＰ電話端末２Ａ（２Ｂ）、任意のアドレス情報で指定されたＷｅｂページを閲覧表示するためのデジタルテレビ端末（以下、デジタルＴＶ端末という）３Ａ（３Ｂ）、およびこれらＶＯＩＰ電話端末２Ａ（２Ｂ）をＶＯＩＰ網４へ接続したり、デジタルテレビ端末３Ａ（３Ｂ）をＩＰ網７へ接続するホームゲートウェイ（以下、ホームＧＷという）１Ａ（１Ｂ）が設けられている。
【００２４】
図２にホームＧＷの構成例を示す。このホームＧＷ１（１Ａ，１Ｂ）には、回線制御部１１、ＶＯＩＰ電話端末インターフェース部（以下、ＶＯＩＰ電話端末Ｉ／Ｆ部という）１２、デジタルテレビ端末インターフェース部（以下、デジタルＴＶ端末Ｉ／Ｆ部という）１３、および情報管理部１４が設けられている。
回線制御部１１は、ＳＩＰ、ＲＴＰ、ＨＴＴＰなどの各種プロトコルに基づきＶＯＩＰ網４およびＩＰ網７を終端制御する機能部である。ＶＯＩＰ電話端末Ｉ／Ｆ部１２は、回線制御部１１の制御に基づきＶＯＩＰ電話端末２を終端制御する回路部である。デジタルＴＶ端末Ｉ／Ｆ部１３は、回線制御部１１の制御に基づきデジタルＴＶ端末３を終端制御する回路部である。情報管理部１４は、当該利用者端末装置の通信能力を示す通信能力情報や、ＶＯＩＰ通話に関する各種管理情報を管理する回路部である。
【００２５】
なお、回線制御部１１については、所定のプログラムと協働して動作することにより各種処理を行うマイクロプロセッサおよびその周辺回路を利用して実現してもよく、専用のＬＳＩチップだけで構成してもよい。また、情報管理部１４については、メモリやハードディスクなとの記憶装置で構成してもよい。
また、ＶＯＩＰ電話端末２として既存のアナログ電話機を用い、ＶＯＩＰ電話端末Ｉ／Ｆ部１２でアナログ電話回線を介してＶＯＩＰ電話端末２を終端制御するようにしてもよい。なお、ＶＯＩＰ電話端末２としてＬＡＮ回線終端機能を有する電話装置を用いる場合には、ＶＯＩＰ電話端末Ｉ／Ｆ部１２でＬＡＮ回線を介してＶＯＩＰ電話端末２を終端制御すればよい。
【００２６】
デジタルＴＶ端末３は、いわゆるデジタルテレビと呼ばれる情報家電であり、ＷＷＷブラウザ機能が搭載された市販のテレビジョン受像機である。この種のデジタルＴＶ端末３では、リモコンを操作するだけで所望のＷｅｂページを閲覧する機能を持っている。デジタルＴＶ端末Ｉ／Ｆ部１３では、ＬＡＮ回線を介してデジタルＴＶ端末３を終端制御する。
なお、デジタルＴＶ端末Ｉ／Ｆ部１３にＷＷＷブラウザ機能を設け、デジタルＴＶ端末３として、デジタルＴＶ端末Ｉ／Ｆ部１３からの画像データを画面表示する画面表示装置を用いてもよい。
【００２７】
次に、呼制御サーバ５について説明する。
呼制御サーバ５は、ＶＯＩＰ網４に接続されて、各利用者端末装置１０Ａ，１０Ｂ間でのＶＯＩＰ通話を実現するサーバ装置である。
図３に呼制御サーバ５の構成例を示す。この呼制御サーバ５には、ＶＯＩＰ呼制御部５１、情報管理部５２、およびアドレス情報転送部５３が設けられている。
ＶＯＩＰ呼制御部５１は、ＶＯＩＰ通話を行う利用者端末装置１０Ａ，１０Ｂに対してＶＯＩＰ通話を実現するための呼制御を行うことにより、利用者端末装置１０Ａ，１０Ｂ間におけるＶＯＩＰ通話のためのセッションをＶＯＩＰ網４で確立し管理する機能部である。
【００２８】
情報管理部５２は、各利用者端末装置１０Ａ，１０Ｂが持つ通信能力を示す通信能力情報を管理する機能部である。通信能力情報については、少なくとも、当該利用者端末情報のデジタルテレビ端末によるＷｅｂページの閲覧表示可否を示す情報と、任意のアドレス情報で指定されたＷｅｂページの閲覧表示可否を示す情報と、ＶＯＩＰ通話の通話相手からのアドレス情報受信可否を示す情報のいずれかが含まれている。情報管理部５２では、ＶＯＩＰ呼制御部５１で受信された利用者端末装置１０Ａ，１０Ｂからの通信能力情報を情報管理サーバ６へ登録するとともに、ＶＯＩＰ呼制御部５１で受信された利用者端末装置１０Ａ，１０Ｂからの要求に応じて、情報管理サーバ６から所望の利用者端末装置１０Ａ，１０Ｂの通信能力情報を取得し、ＶＯＩＰ呼制御部５１を介して返送する。
【００２９】
アドレス情報転送部５３は、ＶＯＩＰ通話を行っている利用者端末装置間でのアドレス情報の転送を実現する機能部である。アドレス情報転送部５３では、ＶＯＩＰ呼制御部５１で受信された利用者端末装置１０Ａ，１０Ｂからのアドレス情報を、当該利用者端末装置の通話相手である利用者端末装置１０Ｂ，１０ＡへＶＯＩＰ呼制御部５１を介して転送する。アドレス情報は、通話相手に閲覧してもらいたいＷｅｂページのネットワークアドレスを示す情報であり、ＩＰ網７におけるＵＲＬやＩＰアドレスなどが用いられる。
【００３０】
なお、ＶＯＩＰ呼制御部５１、情報管理部５２およびアドレス情報転送部５３については、所定のプログラムと協働して動作することにより各種処理を行うマイクロプロセッサおよびその周辺回路を利用して実現してもよく、専用のＬＳＩチップだけで構成してもよい。また、情報管理部１４については、情報管理サーバ６の情報蓄積機能を情報管理部５２に一体化してもよく、その際、メモリやハードディスクなとの記憶装置で構成してもよい。
また、アドレス情報転送部５３については、既存のＳＩＰやＨ．３２３などのＩＰシグナリングプロトコルを拡張することにより任意の情報を転送することができ、ＶＯＩＰ呼制御部５１の一部機能でアドレス情報の転送を実現できる。
【００３１】
次に、図４を参照して、本実施の形態にかかるＶＯＩＰ電話サービスシステムの動作について説明する。図４は本実施の形態にかかるＶＯＩＰ電話サービスシステムの動作を示すシーケンス図である。
まず、前述した図５のＳＩＰなどのＩＰシグナリングプロトコルに基づき、発信側となる利用者端末装置１０ＡのＶＯＩＰ電話端末２Ａと、着信側となる利用者端末装置１０ＢのＶＯＩＰ電話端末２Ｂとの間で、ＶＯＩＰ通話を確立する（ステップ１００）。
【００３２】
その後、着信側利用者によるデジタルＴＶ端末３Ｂでの待ち受け操作に応じて、閲覧すべきＷｅｂページのアドレス情報の待ち受けを指示する待ち受け設定が、デジタルＴＶ端末３ＢからホームＧＷ１Ｂへ送信される（ステップ１１０）。
ホームＧＷ１Ｂの回線制御部１１は、この待ち受け設定をデジタルＴＶ端末Ｉ／Ｆ部１３を介して受信し、情報管理部１４から予め登録されているデジタルＴＶ端末３のＷｅｂページの閲覧表示に関する通信能力を示す通信能力情報を取得するとともに、自装置のアドレス情報およびセッション情報を取得し、これら通信能力情報、アドレス情報およびセッション情報を含む能力登録要求を、ＶＯＩＰ網４を介して呼制御サーバ５へ送信する（ステップ１１１）。
【００３３】
呼制御サーバ５のＶＯＩＰ呼制御部５１では、ホームＧＷ１Ｂからの能力登録要求を受信し、その通信能力情報の登録を情報管理部５２へ指示する。これに応じて、情報管理部５２は、その能力登録要求に含まれる通信能力情報をそのアドレス情報やセッション情報に対応付けて情報管理サーバ６へ登録する（ステップ１１２）。
【００３４】
一方、発信側利用者によるデジタルＴＶ端末３ＡでのＷＷＷ閲覧操作に応じて、所望のＷｅｂページのアドレス情報を含む閲覧要求が、デジタルＴＶ端末３ＡからホームＧＷ１Ａへ送信される（ステップ１２０）。
ホームＧＷ１Ａの回線制御部１１は、この閲覧要求をデジタルＴＶ端末Ｉ／Ｆ部１３を介して受信し、これをＩＰ網７へ転送することにより、そのアドレス情報に対応するＷＷＷサーバ８からＷｅｂページデータを取得する（ステップ１２１）。そして、デジタルＴＶ端末Ｉ／Ｆ部１３を介してデジタルＴＶ端末３へ転送する（ステップ１２２）。
デジタルＴＶ端末３は、ホームＧＷ１ＡからＷｅｂページデータを受信し、ＷＷＷブラウザ機能によりそのＷｅｂページを画面に閲覧表示する（ステップ１２３）。
【００３５】
その後、発信側利用者によるデジタルＴＶ端末３Ａでのアドレス情報転送操作に応じて、現在閲覧中のＷｅｂページに対応するアドレス情報を含むアドレス情報送信要求がデジタルＴＶ端末３ＡからホームＧＷ１Ａへ送信される（ステップ１３０）。
ホームＧＷ１Ａの回線制御部１１は、このアドレス情報送信要求をデジタルＴＶ端末Ｉ／Ｆ部１３を介して受信し、情報管理部１４からＶＯＩＰ通話の通話相手となる利用者端末装置１０Ｂに関するアドレス情報およびセッション情報を取得し、これらアドレス情報およびセッション情報で指定される利用者端末装置に対する通信能力情報の確認要求を、ＶＯＩＰ網４を介して呼制御サーバ５へ送信する（ステップ１３１）。
【００３６】
呼制御サーバ５のＶＯＩＰ呼制御部５１は、ホームＧＷ１Ａからの確認要求に応じて、情報管理部５２を介して情報管理サーバ６から、利用者端末装置１０Ｂに関する通信能力情報を取得し（ステップ１３２）、ＶＯＩＰ網４を介して利用者端末装置１０Ａへ返送する（ステップ１３３）。
ホームＧＷ１Ａの回線制御部１１は、呼制御サーバ５から返送された通信能力情報を受信し、その通信能力情報に基づき、利用者端末装置１０Ｂが所望のＷｅｂページを閲覧表示可能かどうか判断する（ステップ１３４）。
【００３７】
そして、閲覧表示可能である場合は（ステップ１３４：ＹＥＳ）、情報管理部１４から、ＶＯＩＰ通話の通話相手である利用者端末装置１０Ｂに関するアドレス情報およびセッション情報を取得し、これら利用者端末装置１０Ｂに関するアドレス情報およびセッション情報と、ステップ１３０のアドレス情報送信要求に含まれていた、現在デジタルＴＶ端末３Ａで閲覧表示中のＷｅｂページに対応するアドレス情報とを含むアドレス情報送信要求を、ＶＯＩＰ網４を介して呼制御サーバ５へ送信する（ステップ１３５）。
【００３８】
呼制御サーバ５のＶＯＩＰ呼制御部５１は、ホームＧＷ１Ａからのアドレス情報送信要求に応じて、アドレス情報転送部５３により、当該アドレス情報送信要求に含まれている利用者端末装置１０Ｂに関するアドレス情報またはセッション情報、あるいはこれら両方の情報に基づき、ＶＯＩＰ網４を介して利用者端末装置１０Ｂへ、所望のＷｅｂページを示すアドレス情報を転送する（ステップ１３６）。
着信側のホームＧＷ１Ｂの回線制御部１１は、呼制御サーバ５からアドレス情報を受信し、デジタルＴＶ端末Ｉ／Ｆ部１３を介してデジタルＴＶ端末３Ｂへ、そのアドレス情報を転送する（ステップ１３７）。
【００３９】
デジタルＴＶ端末３Ｂは、ホームＧＷ１Ｂからのアドレス情報に基づき、そのアドレス情報を含む閲覧要求を、ホームＧＷ１Ｂへ送信する（ステップ１４０）。
ホームＧＷ１Ｂの回線制御部１１は、この閲覧要求をデジタルＴＶ端末Ｉ／Ｆ部１３を介して受信し、これをＩＰ網７へ転送することにより、そのアドレス情報に対応するＷＷＷサーバ８からＷｅｂページデータを取得する（ステップ１４１）。そして、デジタルＴＶ端末Ｉ／Ｆ部１３を介してデジタルＴＶ端末３Ｂへ転送する（ステップ１４２）。
デジタルＴＶ端末３Ｂは、ホームＧＷ１ＢからＷｅｂページデータを受信し、ＷＷＷブラウザ機能によりそのＷｅｂページを画面に閲覧表示する（ステップ１４３）。これにより、発信側利用者が指定したＷｅｂページが着信側利用者の利用者端末装置１０Ｂで閲覧表示されることになる。
【００４０】
このように、利用者端末装置１０Ａ，１０Ｂに、任意のアドレス情報で指定されたＷｅｂページを閲覧表示するデジタルＴＶ端末３を設けて、ホームＧＷ１でデジタルＴＶ端末３とＩＰ網７との接続制御を行うものとし、呼制御サーバ５に、ＶＯＩＰ通話を行う利用者端末装置１０Ａ，１０Ｂ間で所定のＷｅｂページを示すアドレス情報を転送するアドレス情報転送部５３を設け、このアドレス情報転送部５３により、何れか一方の利用者端末装置から送信された所望のＷｅｂページを示すアドレス情報を他方の利用者端末装置へ転送し、そのデジタルＴＶ端末３で当該アドレスに対応するＷｅｂページを閲覧表示するようにしたので、他方の利用者により所望Ｗｅｂページのアドレス情報を入力することなく両者で共通のＷｅｂページに閲覧できる。
【００４１】
これにより、例えば、孫の話題を祖父母に知らせる場合、行事や旅行の際に撮影した孫の写真を互いに見ながら会話したい場合には、予め孫の写真を自己のホームページへ登録しておき、ＶＯＩＰ通話中に、そのホームページを閲覧してアドレス情報の送信要求操作を行うだけで、祖父母側のデジタルＴＶ端末で孫の写真をすぐに画面表示できる。
したがって、従来のように、パソコンを起動し通話により伝えられたＷｅｂページのアドレス情報をキーボード入力するというような、祖父母には難しいアドレス情報の入力などの操作負担を強いることなく、ＶＯＩＰ通話中に、容易かつスムーズに共通のＷｅｂページを閲覧して通話できる。
【００４２】
また、会合の開催を電話で知らせる際に、その開催場所やスケジュールを互いに画面を見ながら確認したい場合、あるいは顧客からの商品問い合わせに応じて、その商品の詳細を示す共通の画面を見ながら説明したい場合にも、同様にしてアドレス情報を転送して通話相手のデジタルＴＶ端末へ、共通のＷｅｂページを画面表示することができ、通話相手にアドレス情報の入力などの操作負担を強いることなく、ＶＯＩＰ通話中に、容易かつスムーズに共通のＷｅｂページを閲覧して通話できる。
また、ＩＰ網を介して各種情報を提供する場合、所望の情報をマルチメディア情報だけでなく、ＶＯＩＰ通話による音声で補助的な案内を適切に行うことができ、多くのひな形音声メッセージが不要となりソフトウェアの負担を軽減できるとともに、より適切な情報提供を実現できる。
【００４３】
また、ホームＧＷ１で、利用者からのアドレス情報送信操作に応じて、現在デジタルＴＶ端末３で閲覧表示中のＷｅｂページのアドレス情報を、呼制御サーバ５へ送信するようにしたので、アドレス情報を送信する側でも、極めて簡単な操作で所望のＷｅｂページのアドレス情報を確実に送信できる。
この際、ＶＯＩＰ通話に関する相手先アドレス情報やセッション情報に基づきアドレス情報が転送されるため、送信先情報を入力するという作業負担を軽減できる。
【００４４】
また、アドレス情報を送信する際、相手利用者端末装置にあるデジタルテレビ端末のＷｅｂページの閲覧表示に関する通信能力を示す通信能力情報に基づき、アドレス情報の送信可否を判断するようにしたので、無効なアドレス情報の送信を回避できる。この際、Ｗｅｂページの閲覧表示に関する通信能力がなかった場合は、その旨を送信側の利用者へ報知すればよい。
さらに、この通信能力情報に基づくアドレス情報送信可否の判断は、通信能力情報を管理する呼制御サーバや相手利用者端末装置側で行い、その判定結果をアドレス情報送信側へ返送するようにしてもよい。
【００４５】
また、これら通信能力情報を呼制御サーバで管理するようにしたので、高いセキュリティで管理でき、第三者により通信能力情報の不正な取得を回避できる。
さらに、アドレス情報を受け取る側の利用者による待ち受け設定操作に応じて、通信能力情報を呼制御サーバへ送信するようにしたので、利用者の許諾が得られない相手については待ち受け設定操作を行わない限り通信能力情報が送信されないため、通信能力情報の不足に起因してアドレス情報送信不可と判断されることから、未承認アドレス情報の送信を拒否することができる。この際、通信能力情報のうちＶＯＩＰ通話の通話相手からのアドレス情報受信可否を示す情報を、ＶＯＩＰ通話の終了ごとに消去するようにしてもよく、より高い安全性が得られる。
【００４６】
以上では、説明を容易とするため利用者端末装置が２つの場合について説明したが、ＶＯＩＰ網に利用者端末装置が３つ以上接続されている場合でも、前述と同様にして本実施の形態を適用できる。さらに、ＶＯＩＰ通話が３つ以上の利用者端末装置間で行われる場合でも、前述と同様にして本実施の形態を適用でき、何れか１つの利用者端末装置から他の複数の利用者端末装置に対して、所望のアドレス情報を呼制御サーバのアドレス情報転送部で転送でき、前述と同様の作用効果が得られる。
また、アドレス情報をＶＯＩＰ通話の発信側から送信する場合を例として説明したが、これに限定されるものではなく、ＶＯＩＰ通話の着信側からアドレス情報を送信する場合にも、前述と同様にして本実施の形態を適用でき、前述と同様の作用効果が得られる。
【００４７】
また、アドレス情報を送信する際、呼制御サーバから相手側の通信能力情報を取得するのではなく、直接、相手利用者端末装置から通信能力情報を取得するようにしてもよく、呼制御サーバでの管理負担を軽減できる。
なお、アドレス情報を送信する際、所望のＷｅｂページを閲覧表示させた後、そのアドレス情報を送信する場合を例として説明したが、これに限定されるものではなく、例えば決まったＷｅｂページを相手に閲覧表示させる場合は、予めホームＧＷの情報管理部に登録しておいたアドレス情報を送信するようにしてもよい。
【００４８】
また、利用者端末装置において、指定されたアドレス情報のＷｅｂページを表示する機能として、市販のデジタルＴＶ端末を用いるようにしたので、通常のテレビジョン受像機と同様に一般にはパソコンより起動時間が短く、操作も容易であることから、パソコンを使いこなせない利用者でも容易にＷｅｂページを閲覧できる。
なお、本実施の形態は、デジタルＴＶ端末に限定されるものではなく、指定されたアドレス情報のＷｅｂページを表示する機能を有するパソコンであれば、同様の作用効果を実現でき、前述したデジタルＴＶ端末にこのようなパソコンも含まれるといえる。
【図面の簡単な説明】
【００４９】
【図１】本発明の一実施の形態にかかるＶＯＩＰ電話サービスシステムの構成を示すブロック図である。
【図２】利用者端末装置の構成を示すブロック図である。
【図３】呼制御サーバの構成を示すブロック図である。
【図４】本実施の形態にかかるＶＯＩＰ電話サービスシステムの動作を示すシーケンス図である。
【図５】一般的なＳＩＰの呼制御シーケンスを示すシーケンス図である。
【符号の説明】
【００５０】
１０Ａ，１０Ｂ…利用者端末装置、１，１Ａ，１Ｂ…ホームＧＷ、１１…回線制御部、１２…ＶＯＩＰ電話端末Ｉ／Ｆ部、１３…デジタルＴＶ端末Ｉ／Ｆ部、１４…情報管理部、２…ＶＯＩＰ電話端末、３…デジタルＴＶ端末、４…ＶＯＩＰ網、５…呼制御サーバ、５１…ＶＯＩＰ呼制御部、５２…情報管理部、５３…アドレス情報転送部、６…情報管理サーバ、７…ＩＰ網、８…ＷＷＷサーバ。
【図１】
0004699684.tif 000002
【図２】
0004699684.tif 000003
【図３】
0004699684.tif 000004
【図４】
0004699684.tif 000005
【図５】
0004699684.tif 000006